(57)【特許請求の範囲】
【請求項１】
少なくとも一つの情報信号が記録される半導体メモリと、
上記半導体メモリに記録されている一の情報信号を再生している状態で、上記情報信号を消去するための第１の信号が入力されるとき、上記情報信号の少なくとも先頭部分を再生させる確認工程を開始し、この確認工程の終了までに、上記情報信号を消去するための第２の信号が入力されるとき、上記情報信号を消去する制御手段と
を備える記録再生装置。
【請求項２】
上記制御手段は、上記一の情報信号の終端部分を再生させることを特徴とする請求項１記載の記録再生装置。
【請求項３】
上記確認工程にある状態において、第３の信号が入力された際には、上記確認工程が解除されることを特徴とする請求項１記載の記録再生装置。
【請求項４】
上記一の情報信号が、上記確認工程で再生される所定時間より短い場合には、上記一の情報信号の全体が再生されることを特徴とする請求項１記載の記録再生装置。
【請求項５】
上記確認工程の終了までに、上記第２の信号が入力されないときには、上記確認工程を再開することを特徴とする請求項１記載の記録再生装置。
【発明の詳細な説明】
【０００１】
【発明の属する技術分野】
本発明は、半導体メモリを記録媒体に用いた記録再生装置に関する。
【０００２】
【従来の技術】
録音機器として、従来よりテープレコーダ、ディジタルオーディオテープレコーダ（ＤＡＴ）、光磁気ディスク装置が一般的に知られている。これら録音機器は、記録されている例えば音声データを記録媒体より消去する場合には、利用者が所望する音声データの番地を指定して、消去ボタンを押すことにより音声データを消去していた。
【０００３】
【発明が解決しようとする課題】
このように、記録媒体より所定の情報信号を消去する場合においては、消去ボタンを押した後は、その消去する内容の確認を行うことができず、誤って利用者が望んでいない情報信号を消去してしまう場合があった。
【０００４】
そこで、本発明は、利用者が情報信号の消去操作に入った後に再度消去する情報信号の確認を行うことができる記録再生装置を提供することを目的とする。
【０００５】
【課題を解決するための手段】
本発明に係る記録再生装置は、上述のような課題を解決すべく、少なくとも一つの情報信号が記録される半導体メモリと、上記半導体メモリに記録されている一の情報信号を再生している状態で、上記情報信号を消去するための第１の信号が入力されるとき、上記情報信号の少なくとも先頭部分を再生させる確認工程を開始し、この確認工程の終了までに、上記情報信号を消去するための第２の信号が入力されるとき、上記情報信号を消去する制御手段とを備える。
【０００６】
以上のように構成された記録再生装置は、情報信号を消去するための第１の信号が入力されることにより少なくとも一つの情報信号の先頭部分が一定期間再生されることにより情報信号が再生される。したがって、利用者は、消去する情報信号の確認を行うことができる。
【０００７】
【発明の実施の形態】
以下、本発明に係る記録再生装置の実施の形態について、図面を参照しながら詳細に説明する。この記録再生装置は、半導体メモリを記録媒体とし、この半導体メモリにマイクロホーンからの音声信号を音声データとして書き込み、また、記憶されている音声データを読み出し、スピーカから音声データに基づく音を出力するＩＣレコーダ１に、本発明を適用したものである。
【０００８】
このＩＣレコーダ１は、例えば図１に示すように、マイクロホーン１１からの音声信号を音声データに変換して半導体メモリ９に記憶する記録部１０と、上記半導体メモリ９に記憶されている音声データを読み出し、音声信号に変換してスピーカ２４を駆動する再生部２０と、記録部１０等を制御する制御部３０と、動作状態や操作手順を表示するための表示部４０と、制御部３０等に電力を供給する電源部５０と、利用者が各種の操作を行うための操作部６０とを備える。
【０００９】
記録部１０は、上述の図１に示すように、マイクロホーン１１からの音声信号を増幅する増幅器１２と、増幅器１２で増幅された音声信号のレベルを適切なレベルとする自動利得制御回路（以下、ＡＧＣ：Ａｕｔｏｍａｔｉｃ  Ｇａｉｎ  Ｃｏｎｔｒｏｌｌｅｒという。）１３と、ＡＧＣ１３からの音声信号を音声データに変換するエンコーダ１４と、エンコーダ１４からの音声データを遅延するバッファメモリ１５とを備える。
【００１０】
マイクロホーン１１は、入力される音を音声信号に変換して増幅器１２に供給し、増幅器１２は、音声信号を増幅してＡＧＣ１３に供給する。ＡＧＣ１３は、増幅器１２で増幅された音声信号を、そのレベルが適切なレベルとなるように増幅してエンコーダ１４に供給する。
【００１１】
エンコーダ１４は、音声信号が時間的に相関が強いことから、例えば適応型差分パルスコードモジュレーション（以下、ＡＤＰＣＭ：Ａｄａｐｔｉｖｅ  ＤｉｆｆｅｒｅｎｔｉａｌＰｕｌｓｅ  Ｃｏｄｅ  Ｍｏｄｕｌａｔｉｏｎ  という。）により、少ないデータ量で音声信号を符号化して音声データを生成し、この音声データをバッファメモリ１５に供給する。
【００１２】
バッファメモリ１５は、後述するように所定の遅延時間に相当する容量を有し、エンコーダ１４から供給される音声データを所定時間遅延して半導体メモリ９に供給する。
【００１３】
半導体メモリ９は、例えば電気的消去形（エレクトリカル・イレーザブル）プログラマブル・リード・オンリ・メモリ（以下、ＥＥＰＲＯＭ：Ｅｌｅｃｔｒｉｃａｌ  Ｅｒａｓａｂｌｅ／Ｐｒｏｇｒａｍａｂｌｅ  Ｒｅａｄ−Ｏｎｌｙ  Ｍｅｍｏｒｙという。）等のメモリの駆動電源がＯＦＦの状態にされても記憶素子の持つ記憶内容が消えないで保持される不揮発性の半導体メモリからなり、バッファメモリ１５から供給される音声データを記憶すると共に、後述するように、どの領域に記憶したか示す等の音声データを管理する管理情報（以下、ＴＯＣ情報という。）を記憶する。具体的には、半導体メモリ９は、例えば、１６Ｍビットの容量を有し、この半導体メモリ９には、後述するＳＰモードでは２００〜３４００Ｈｚの音声信号に対応した音声データを８分間記憶でき、ＬＰモードでは２００〜１７００Ｈｚの音声信号に対応した音声データを１６分間記憶できるようになっている。
【００１４】
一方、再生部２０は、上述の図１に示すように、半導体メモリ９から読み出された音声データを音声信号に変換するデコーダ２１及びフィルタ２２と、フィルタ２２からの音声信号を増幅してスピーカ２４に供給する増幅器２３とを備える。
【００１５】
デコーダ２１は、記録部１０のエンコーダ１４に対応したものであり、半導体メモリ９から読み出された音声データ、すなわちＡＤＰＣＭ方式で符号化された音声データを復号化して、いわゆるＰＡＭ信号を生成し、フィルタ２２は、このＰＡＭ信号から音声帯域以上の高周波成分を除去して、音声信号を出力する。増幅器２３は、デコーダ２１から供給される音声信号を増幅してスピーカ２４を駆動する。かくして、録音された音がスピーカ２４から出力される。
【００１６】
制御部３０は、上述の図１に示すように、このＩＣレコーダ１の動作を制御するためのプログラムが記憶されているＲＯＭ３１と、ＲＯＭ３１に記憶されているプログラムを実行して、半導体メモリ９や記録部１０を制御するマイクロコンピュータ（以下、ＣＰＵという。）３２と、時刻を計数するタイマ３３と、時刻やプログラムの実行結果等を一時的に記憶するランダム・アクセス・メモリ（以下、ＲＡＭ：Ｒａｎｄａｍ  Ａｃｃｅｓｓ  Ｍｅｍｏｒｙという。）３４とを備える。
【００１７】
この制御部３０には、操作部６０に設けられている各種押しボタン６１からの信号が供給されており、ＣＰＵ３２は、押しボタン６１が押されると、その押しボタン６１に対応したプログラムをＲＯＭ３１から読み出して実行し、各部を制御する。例えば後述する録音開始ボタン６１ｋが押されると、ＣＰＵ３２は、録音に対応したプログラムをＲＯＭ３１から読み出して実行し、増幅器１２、ＡＧＣ１３、エンコーダ１４等を動作させ、バッファメモリ１５で所定時間遅延された音声データを、半導体メモリ９の例えば空いてる領域に音声データを記憶する制御を行う。すなわち、制御部３０は、半導体メモリ９に対する音声データの書込及び読出を制御しており、Ａ、Ｂの２つファイルにそれぞれ音声データを９９件、それぞれを識別するインデックス番号を付けて書き込む制御を行い、また、インデックス番号に基づいて音声データを読み出す制御を行う。また、ＣＰＵ３２には、タイマ等を動作させるための水晶発振器３５が接続され、例えば、半導体メモリ９に記録されている音声データを所定時刻に読み出させる。また、この制御部３０には、表示部４０が接続されており、ＣＰＵ３２は、このＩＣレコーダ１の動作状態や操作手順を表示部４０に表示する。すなわち、表示部４０は、低消費電力の液晶表示パネル４１と、この液晶表示パネル４１を照明するためのバックライト４２とを備え、例えば操作部６０のメニュー／送りボタン６１ａが押されると、ＣＰＵ３２は、表示部４０に日付、時刻を順に表示し、利用者は、この表示を見ながらタイマを合わせることができる。
【００１８】
ここで、操作部６０の詳細について、図１及び図２を用いて説明する。図２に示すＩＣレコーダ１は、携帯用であり、手のひらサイズの大きさに構成された外装筐体の内部には、上述した記録部１０、再生部２０等の電気回路が実装されたプリント基板が配設されている。また、このＩＣレコーダ１は、通常ユーザが右手で行う筆記作業等の作業と併用して使用できるように左手で把持し易く形成されている。そして、この外装筐体には、操作部６０を構成する押しボタン６１が配設されている。
【００１９】
この操作部６０を構成する押しボタン６１は、メニュー／送りボタン６１ａと、再生の開始するための再生ボタン６１ｂと、インデックス番号を設定するための戻り／送りボタン６１ｃと、ファイルを切り換えるためのファイル切換ボタン６１ｄと、録音等を停止するための停止ボタン６１ｅと、ＳＰモードとＬＰモードを切り換えるためのＳＰ／ＬＰボタン６１ｆと、バックライト４２を点灯するためのライトボタン６１ｇと、表示ボタン６１ｈと、インデックス番号を設定するためのインデックスボタン６１ｉと、半導体メモリ９に記憶されている音声データを消去するための消去ボタン６１ｊと、録音を開始するための録音開始ボタン６１ｋとを備える。そして、これら操作ボタンのうち使用頻度の高い再生ボタン６１ｂと戻り／送りボタン６１ｃは、外装筐体の図２中左上に切り欠かれて形成された切欠部の側面部に配設され、ユーザが左手の親指で操作し易くしている。また、同じく使用頻度の高い録音開始ボタン６１ｋは、左手の親指で操作できるように外装筐体の主面部に他より大きな形状をした押しボタンにより形成されている。
【００２０】
また、操作部６０は、ホールドスイッチ６２と、録音又は再生中であることを示す録音／再生ランプ６３と、再生音の大きさを調整するボリューム６４と、イヤホーンジャック６５とを備える。録音／再生ランプ６３は、図２に示すように、使用中に目視し易くするため外装筐体の主面部に配設され、ホールドスイッチ６２、ボリューム６４及びイヤホーンジャック６５は、比較的使用頻度が少ないことから外装筐体の側面部に形成されている。
【００２１】
次に、電源部５０について説明する。電源部５０は、例えば図３に示すように、電池５１と、電池５１の出力電圧を昇圧するＤＣ／ＤＣコンバータ５２と、電池５１の出力電圧を検出する電圧検出回路５３と、ＤＣ／ＤＣコンバータ５２の出力電圧で充電するコンデンサ５４とを備える。
【００２２】
上述したようにこのＩＣレコーダ１は、携帯用の手のひらサイズのものであり、電池５１は、装置全体を小型化するために、単４型の乾電池１本からなる。ＤＣ／ＤＣコンバータ５２は、低消費電力のＣ−ＭＯＳ型の集積回路からなり、電池５１の出力電圧、すなわち１．５ボルトを、増幅器１２、２３、ＣＰＵ３２等の回路が動作するのに必要な電圧に昇圧して、その電圧の電流を各回路に供給する。
【００２３】
一方、電圧検出回路５３は、電池５１の出力電圧を検出して、電池５１の出力電圧が、例えば０．８ボルトとなったときに、ＤＣ／ＤＣコンバータ５２の動作を停止する。したがって、電池５１に蓄電されている電力は、その出力が０．８ボルト等の所定値になった後は消費されることがない。すなわち、ＤＣ／ＤＣコンバータ５２を用いていても、それに起因して電池５１の電圧が急激に低下することを防止することができ、その結果として漏液を防止することができる。
【００２４】
コンデンサ５４は、ＤＣ／ＤＣコンバータ５２と制御部３０のタイマ３３のみを接続した電源線とアース間に接続されており、ＤＣ／ＤＣコンバータ５２の出力電圧で充電される。したがって、タイマ３３は、ＤＣ／ＤＣコンバータ５２が動作しているときは、このＤＣ／ＤＣコンバータ５２から供給される電流で動作し、電池５１の出力電圧が低下したり、電池を交換するために電池５１を取り出してＤＣ／ＤＣコンバータ５２が停止しているときには、コンデンサ５４からの電流で動作する。すなわちコンデンサ５４は、いわゆるバックアップコンデンサであり、そのバックアップ可能な時間は、例えば約３分間である。
【００２５】
このように構成されるＩＣレコーダ１は、録音操作される際には、例えば図４のように行われる。すなわち、先ず、ステップＳＴ１において、ＳＰ／ＬＰボタン６１ｆが押されると、記録方式がＬＰモードかＳＰモードかの選択が行われる。すると、液晶表示パネル４１には、「ＳＰ」又は「ＬＰ」の表示がされる。次に、ステップＳＴ２において、ファイル切換ボタン６１ｄが押されると、半導体メモリ９に設けられた「Ａ」又は「Ｂ」のファイルが選択され、選択されたファイルが液晶表示パネル４１に表示される。
【００２６】
そして、ステップＳＴ３において、録音開始ボタン６１ｋが押されると、録音状態が開始され、ユーザがマイクロホーン１１に向かって話すと、半導体メモリ９の指定された領域に音声データが書き込まれる。また、ステップＳＴ４において、停止ボタン６１ｅが押されることで、録音状態が解除される。この際、半導体メモリ９には、音声データが記録されると共に、ＴＯＣ情報、ファイル番号及び録音されている音声信号を表示するインデックス番号が記録される。ユーザが別の音声データを記録することを所望する場合には、最初の録音操作が行われた直後であれば、最初に設定されたモード及びファイルと同様の領域で最初に付与されたインデックス番号の次に音声情報が記録される。すなわち、上記ステップＳＴ１及びステップＳＴ２で行われるモード選択操作とファイル選択操作を省略することができる。
【００２７】
次に、記録されている音声データを再生する場合には、例えば図５のように行われる。すなわち、先ず、ステップＳＴ１において、ファイル切換ボタン６１ｄが押されると、半導体メモリ９に設けられた「Ａ」又は「Ｂ」のファイルが選択され、選択されたファイルが液晶表示パネル４１に表示される。次に、ステップＳＴ２において、戻り／送りボタン６１ｃを押すことで、ユーザが所望する半導体メモリ９に記録されたインデックス番号が選択される。そして、ステップＳＴ３において、再生ボタン６１ｂと、ユーザが所望する音声データが再生される。この際、ＩＣレコーダ１は、再生動作を停止させる場合には、停止ボタン６１ｅを押すことで動作が停止される。また、次の要件に進みたい場合又は戻りたい場合には、再生及び録音動作がなされていない状態で、戻り／送りボタン６１ｃを押すことで、次又は前のインデックス番号が選択され再生される。
【００２８】
また、記録されている音声データを半導体メモリ９より消去する場合には、例えば図６に示すように行われる。すなわち、先ず、ステップＳＴ１において、音声データが上述の図５により再生されている状態で消去ボタン６１ｊが押されると、ステップＳＴ２に進み、ＣＰＵ３２が利用者が選択した音声データが再生中であるか否かを判断し、音声データが再生中でない場合には、ステップＳＴ１１に進み、録音及び再生動作のなされていない待機モードにされる。そして、ステップＳＴ２において、音声データが再生中である場合には、ステップＳＴ３に進み、消去確認モードにされる。この消去確認モードになると、液晶表示パネル４１には、利用者に消去確認モードに入ったことを認識させるため、「ＥＲＡＳＥ」なる表示がなされる。
【００２８】
ステップＳＴ３において消去確認モードにされると、次に、ステップＳＴ４において、ＣＰＵ３２により消去ボタン６１ｊ以外の操作ボタン６１が押されたか否かの判断がされる。すなわち、この消去確認モードの状態において、停止ボタン６１ｅが押された場合には、ステップＳＴ１１に進み上記待機モードにされる。また、この停止ボタン６１ｅ以外の例えば再生ボタン６１ｋ、録音開始ボタン６１ｋ等が押された場合においても、ステップＳＴ１１に進み待機モードにされる。すなわち、ＩＣレコーダ１は、消去確認モードにおいて、利用者が誤って停止ボタン６１ｅとは異なる操作ボタン６１を押してしまった場合に、ステップＳＴ１１の待機モードに進ませることにより、音声データが誤って消去されるのを防止している。
【００２９】
そして、ステップＳＴ４において、操作ボタン６１が押されなかった場合には、ステップＳＴ５に進み、利用者が指定し再生中の音声データが１０秒以上であるか否かの判断が行われる。そして、再生される音声データが１０秒未満である場合には、ステップＳＴ６に進み、音声データ全体が再生され、音声データが１０秒以上である場合には、ステップＳＴ７に進み、再生中の音声データの最初の５秒間と最後の５秒間が再生される。すなわち、これから消去される音声データがステップＳＴ６では全体が再生され、また、ステップＳＴ７では最初と最後の５秒間が再生されることで、利用者は、消去される音声データの確認が行われる。
【００３０】
そして、ステップＳＴ６又はステップＳＴ７において音声データが再生中の状態で、ステップＳＴ８において再度消去ボタン６１ｊが押されると、ステップＳＴ９に進み、ＣＰＵ３２がＲＡＭ３４に記録されている消去プログラムを実行し、半導体メモリ９に記録されている所定の音声データを消去する。そして、音声データが消去されると、ステップＳＴ１１に進み、上記待機モードとされる。一方、ステップＳＴ８において、消去ボタン６１ｊが押されなかった場合には、ステップＳＴ１０に進み、再度音声データが再生され、ＣＰＵ３２が再生回数が１０回以上であるか否かを判断する。そして、音声データが１０回以上再生されなかった場合には、再度ステップＳＴ３に戻り、消去確認モードが維持される。そして、ステップＳＴ１０において、音声データが１０回以上再生された場合には、ステップＳＴ１１に進み待機モードとされる。
【００３１】
以上の音声データの消去方法は、音声データを１つ１つ半導体メモリ９より消去する場合について説明したが、記録されている音声データを１度に全て消去する場合には、ファイル切換ボタン６１ｄを押して、「Ａ」又は「Ｂ」のファイルを選択した後、消去ボタン６１ｊと、停止ボタン６１ｅの両方を同時に押すことにより行うことができる。したがって、ＩＣレコーダ１は、消去ボタン６１ｊと停止ボタン６１ｅを同時に押すという複雑な操作とすることで、「Ａ」又は「Ｂ」に記録されている全ての音声データが誤って消去されることを防止している。
【００３２】
以上のように構成されたＩＣレコーダ１によれば、消去ボタン６１ｊが押されて消去確認モードにされた後、利用者が半導体メモリ９より消去したいと望む音声データが再生されることから、音声データの誤消去を防止することができる。また、消去する音声データが１０秒以上と長い場合には、その音声データの確認に必要とされる最初と最後の５秒間が再生されるのみであるから、その音声データが長い場合に必要以上に再生されることなく音声データの消去操作を容易に行うことができる。さらには、ＩＣレコーダ１は、消去確認モードの際に停止ボタン６１ｅの他に録音開始ボタン６１ｋや再生ボタン６１ｂが押された場合にも消去確認モードから待機モードに進むことができ、誤操作による音声データの消去を防止している。
【００３３】
なお、以上音声データが半導体メモリ９に記録されるＩＣレコーダ１について詳細に説明したが、記録される情報信号は、音声データに限られるものではなく、映像等の動的データであっても良いのは勿論である。
【００３４】
【発明の効果】
本発明に係る記録再生装置は、情報信号を消去するための第１の信号が入力されることにより少なくとも一の情報信号の先頭部分が一定期間再生されることにより情報信号が再生される。したがって、利用者は、消去する情報信号の確認を行うことができる。
【図面の簡単な説明】
【図１】ＩＣレコーダの構成図である。
【図２】ＩＣレコーダの正面図である。
【図３】ＩＣレコーダの電源部の構成図である。
【図４】ＩＣレコーダの録音動作を説明するための図である。
【図５】ＩＣレコーダの再生動作を説明するための図である。
【図６】音声データの消去操作を説明するための図である。
【符号の説明】
１  ＩＣレコーダ、  ９  半導体メモリ、  １０  記録部、  １１  マイクロホーン、  １２  増幅器、  １３  ＡＧＣ、  １４  エンコーダ、  １５  バッファメモリ、  ２０  再生部、  ２１  デコーダ、  ２２  フィルタ、  ２３  増幅器、  ２４  スピーカ、  ３０  制御部、  ３１  ＲＯＭ、  ３２  ＣＰＵ、  ３３  タイマ、  ３４  ＲＡＭ、  ３５  水晶発振器、  ４０  表示部、  ４１  液晶表示パネル、  ４２  バックライト、  ５０  電源部、  ５１  電池、  ５２  ＤＣ／ＤＣコンバータ、  ５３  電圧検出回路、  ５４  コンデンサ、  ６０  操作部、  ６１ａ〜６１ｋ  押しボタン
【図１】
0003593814.tif 000002
【図２】
0003593814.tif 000003
【図３】
0003593814.tif 000004
【図４】
0003593814.tif 000005
【図５】
0003593814.tif 000006
【図６】
0003593814.tif 000007